(57)【要約】【課題】  部品点数を極力少なくするとともに、極めて簡単な構造で、マウス装置自体を移動させなくても確実に操作入力を行うことを可能とする。【解決手段】  装置筐体内に、水平方向に同心円状に配置された導電性部材からなる小リング２１及び大リング２２と、これら小リング２１及び大リング２２にそれぞれの端部が摺動可能に係合された導電性部材からなる回転体２３とを備えており、大リング２２が、周方向に一定の間隔を存して複数形成された絶縁リング部２２１によって複数の導体リング部２２２に分割されている。回転体２３は、小リング２１及び大リング２２に沿って水平方向に回転可能に設けられるとともに、装置筐体が水平状態から任意の方向に傾けられることにより、回転体２３の自重によってその傾けられた方向に各リング２１，２２上を摺動回転するように構成されている。【選択図】  図２
2006268615.tif 000002
【特許請求の範囲】
【請求項１】
カーソルの移動方向を示す情報であるマウス信号を生成する信号生成手段を有するマウス装置であって、
装置筐体内に、水平方向に同心円状に配置された導電性部材からなる小リング及び大リングと、これら小リング及び大リングにそれぞれの端部が摺動可能に係合された導電性部材からなる回転体とを備えており、
前記小リングまたは大リングのいずれか一方が、周方向に一定の間隔を存して複数形成された絶縁リング部によって複数の導体リング部に分割され、前記回転体は、前記小リング及び大リングに沿って水平方向に回転可能に設けられるとともに、前記装置筐体が水平状態から任意の方向に傾けられることにより、前記回転体の自重によってその傾けられた方向に前記各リング上を摺動回転するように構成されており、
前記装置筐体の底面中央部に湾曲面形状の突状部が形成され、この突状部の中心部からスイッチ端子を若干突出させた状態でスイッチ部が配置されているとともに、前記装置筐体の底面には、底面周端部から所定の距離を保って内側に、前記突状部全体を囲むようにして環状突起部が形成され、かつ、前記装置筐体を卓上等の載置面に載置した状態で、前記環状突起部と装置筐体の底面周端部とが前記載置面に接触したときの前記装置筐体の傾斜角度が、前記回転体が自重によって前記各リング上をスムーズに摺動回転する角度に設定されており、
前記信号生成手段は、前記回転体が任意の導体リング部に接触することにより、その接触した導体リング部の位置を検知して前記マウス信号を生成するとともに、前記スイッチ端子が前記突状部内に押し込まれた状態では前記マウス信号を生成せず、前記スイッチ端子が前記突状部から突出している状態のとき前記マウス信号を生成することを特徴とするマウス装置。
【請求項２】
カーソルの移動方向を示す情報であるマウス信号を生成する信号生成手段を有するマウス装置であって、
装置筐体内に、水平方向に同心円状に配置された導電性部材からなる小リング及び大リングと、これら小リング及び大リングにそれぞれの端部が摺動可能に係合された導電性部材からなる回転体とを備えており、
前記小リングまたは大リングのいずれか一方が、周方向に一定の間隔を存して複数形成された絶縁リング部によって複数の導体リング部に分割されており、
前記回転体は、前記小リング及び大リングに沿って水平方向に回転可能に設けられるとともに、前記装置筐体が水平状態から任意の方向に傾けられることにより、前記回転体の自重によってその傾けられた方向に前記各リング上を摺動回転するように構成されており、
前記信号生成手段は、前記回転体が任意の導体リング部に接触することにより、その接触した導体リング部の位置を検知して前記マウス信号を生成することを特徴とするマウス装置。
【請求項３】
前記回転体には、前記装置筐体が水平状態から任意の方向に傾けられることにより、前記各リング上をスムーズに摺動回転するように重り部が設けられていることを特徴とする請求項２に記載のマウス装置。
【請求項４】
前記装置筐体の底面中央部に湾曲面形状の突状部が形成され、この突状部の中心部からスイッチ端子を若干突出させた状態でスイッチ部が配置されており、
前記信号生成手段は、前記スイッチ端子が前記突状部内に押し込まれた状態ではマウス信号を生成せず、前記スイッチ端子が前記突状部から突出している状態のときマウス信号を生成することを特徴とする請求項２または請求項３に記載のマウス装置。
【請求項５】
前記装置筐体を卓上等の載置面に載置した状態で、前記突状部と装置筐体の底面周端部とが前記載置面に接触したときの前記装置筐体の傾斜角度が、前記回転体が自重によって前記各リング上をスムーズに摺動回転する角度に設定されていることを特徴とする請求項４に記載のマウス装置。
【請求項６】
前記装置筐体の底面には、底面周端部から所定の距離を保って内側に、前記突状部全体を囲むようにして環状突起部が形成されていることを特徴とする請求項４に記載のマウス装置。
【発明の詳細な説明】
【技術分野】
【０００１】
本発明は、カーソルの移動方向を示す情報であるマウス信号を生成する信号生成手段を有するマウス装置に関する。
【背景技術】
【０００２】
従来、表示画面上のカーソル等を操作する操作装置の一つとしてマウス装置が使用されている。従来のマウス装置は、マウスの底面に配置されているボールを回転させることでカーソルを操作するため、マウス装置自体を移動させる必要があり、手狭な環境では移動スペースを確保するのが難しく、使い勝手の悪い場合もあった。また、卓上等の表面が滑りやすい場合には、ボールがスムーズに回転しないため、マウスパッドを卓上等に配置し、その上でマウス装置を移動させる必要があった。
【０００３】
そこで、このような不便さを解消し、マウス装置自体を移動させなくても操作入力を行うことができるマウス装置が提案されている（例えば、特許文献１，２等参照）。
【０００４】
特許文献１に記載のマウス装置（振子式マウス）は、図９に示すように、マウスの筐体１０１内に、上部の固定点１１５から軸棒１１４を介して吊された４角柱状の振子１１１と、この振子１１１の周囲４方向（図では、左右の２方向）に設けられたスイッチ１１２と、これらスイッチ１１２のそれぞれに対応した移動量検出部１１３とを有し、マウスを傾けることにより振子１１１を移動させ、振子１１１の移動に伴ってスイッチ１１２の少なくとも１つを押し込み、この押し込まれた量を移動量検出部１１３で検出するようになっている。
【０００５】
また、特許文献２に記載のマウス装置（入力装置）は、図１０に示すように、筐体１１６の上部中央部に形成された開口部に円筒状の操作部１１８が配置され、この操作部１１８の上部中央部に指を置くための小円筒状の操作子１１７が配置された構造となっており、操作部１１８が下方に押し下げられたとき、筐体内部のスイッチ接点が接触するようになっている。また、操作部１１８の下部は、多数のコイルバネ１２２によって図中Ｘ方向、Ｙ方向及びＺ方向の全方向に移動可能に保持されているとともに、下部に形成された円筒状のブロック部１１９が、操作部１１８の操作によって移動することにより、筐体１１６の内部周壁面に一定の間隔を存して配置された多数の方向認識スイッチ１２３に接触して、方向認識スイッチ１２３をオンすることにより、操作部１１８の移動方向を検知するようになっている。
【特許文献１】特開２００１−３４４０６号公報
【特許文献２】特開平９−１０１８５６号公報
【発明の開示】
【発明が解決しようとする課題】
【０００６】
しかし、上記特許文献１のマウス装置では、筐体１０１内の上部固定点１１５から軸棒１１４を介して振子１１１を吊り下げる構造であるため、振子１１１を十分に機能させるためには、軸棒１１４をある程度長くしておく必要がある。そのため、筐体１０１もある程度高くしておく必要があり、マウス全体が嵩高になってしまうといった問題があった。また、内部に多数の移動量検出部１１３を配置する必要があるため、部品点数の増加を招き、コスト高になるといった問題もあった。
【０００７】
また、上記特許文献２のマウス装置では、図１０に示すように、全体の構造が複雑であるとともに、多数のコイルバネ１２２や方向認識スイッチ１２３を配置する必要があるため、部品点数の増加を招き、コスト高になるといった問題があった。
【０００８】
本発明はかかる問題点を解決すべく創案されたもので、その目的は、部品点数を極力少なくするとともに、極めて簡単な構造で、マウス装置自体を移動させなくても確実に操作入力を行うことができるマウス装置を提供することにある。
【課題を解決するための手段】
【０００９】
上記課題を解決するため、本発明のマウス装置は、カーソルの移動方向を示す情報であるマウス信号を生成する信号生成手段を有するマウス装置であって、装置筐体内に、水平方向に同心円状に配置された導電性部材からなる小リング及び大リングと、これら小リング及び大リングにそれぞれの端部が摺動可能に係合された導電性部材からなる回転体とを備えており、前記小リングまたは大リングのいずれか一方が、周方向に一定の間隔を存して複数形成された絶縁リング部によって複数の導体リング部に分割されており、前記回転体は、前記小リング及び大リングに沿って水平方向に回転可能に設けられるとともに、前記装置筐体が水平状態から任意の方向に傾けられることにより、前記回転体の自重によってその傾けられた方向に前記各リング上を摺動回転するように構成されており、前記信号生成手段は、前記回転体が任意の導体リング部に接触することにより、その接触した導体リング部の位置を検知して前記マウス信号を生成することを特徴とする。
【００１０】
このような特徴を有する本発明によれば、小リング及び大リングに回転体を摺動回転するように設けた簡単な構造で、装置筐体を所望する方向に傾けたとき、その傾けた方向を確実に検知してマウス信号を生成することができる。すなわち、マウス装置自体を所望する方向に傾けるだけでマウス信号を生成できるので、マウス装置自体を移動させるスペースが不要となり、また、マウスパッド等も不要となるため、使い勝手も向上するものである。また、小リング、大リング、回転体といった極めて簡単かつ少ない部材で本発明のマウス装置を実現できるので、製造コストの上昇を最小限に抑えることができる。
【００１１】
この場合、前記回転体には、前記装置筐体が水平状態から任意の方向に傾けられることにより、前記各リング上をスムーズに摺動回転するように重り部が設けられている。重り部を設けることで、ほんの少し傾けただけでも、重りの作用によって回転体が傾斜方向に回転するため、マウスとしての応答性を向上させることができる。
【００１２】
さらに、前記装置筐体の底面中央部に湾曲面形状の突状部が形成され、この突状部の中心部からスイッチ端子を若干突出させた状態でスイッチ部が配置されている。そして、前記信号生成手段は、前記スイッチ端子が前記突状部内に押し込まれた状態ではマウス信号を生成せず、前記スイッチ端子が前記突状部から突出している状態のときマウス信号を生成するように構成している。
【００１３】
すなわち、マウス装置を卓上等の載置面に水平状態で載置しているときには、スイッチ部はオン状態となり、信号生成手段は、このオン信号を受けている間、マウス信号の生成を中止する。すなわち、回転体が任意の導体リング部に接触することにより、その導体リング部から接触を示す信号（例えば「Ｌ」の信号）を受け取っていたとしても、マウス信号の生成は行わない。一方、マウス装置を卓上等の載置面上で任意の方向に傾けた場合には、スイッチ部がオフ状態となり、信号生成手段は、このオフ信号を受け取っている間、マウス信号を生成する。すなわち、回転体が任意の導体リング部に接触することにより、その導体リング部から接触を示す信号（例えば「Ｌ」の信号）を受け取ると、その信号から導体リング部の位置（方向）を検知して、当該方向にカーソルを進めるようなマウス信号を生成する。このように、マウス装置を傾けているときにのみマウス信号が生成され、カーソルを移動させることができるので、ユーザは、カーソルを動かしたいときには、その動かしたい方向にマウス装置を傾けるだけで、その方向にカーソルを動かすことができる。また、カーソルの移動を停止したい場合には、傾けていたマウス装置を水平状態に戻せばよい。
【００１４】
この場合、前記装置筐体を卓上等の載置面に載置した状態で、前記突状部と装置筐体の底面周端部とが前記載置面に接触したときの前記装置筐体の傾斜角度を、前記回転体が自重によって前記各リング上をスムーズに摺動回転するような角度となるように予め設定しておけばよい。これにより、ユーザは、カーソルを動かしたいとき、マウス装置をどの程度まで傾ければよいかを考える必要がなく、装置筐体の底面周端部が載置面に当接するまで傾ければよいので、操作がより簡単なものとなる。
【００１５】
さらに、本発明では、前記装置筐体の底面であって、底面周端部から所定の距離を保って内側に、前記突状部全体を囲むようにして環状突起部を形成してもよい。この場合、環状突起部の高さと突状部の高さとは、ほぼ同じ高さとする。そして、前記装置筐体を卓上等の載置面に載置した状態で、前記環状突起部と装置筐体の底面周端部とが前記載置面に接触したときの前記装置筐体の傾斜角度を、前記回転体が自重によって前記各リング上をスムーズに摺動回転するような角度となるように予め設定しておけばよい。このような環状突起部を設けることで、載置面にマウス装置を載置したとき、マウス装置を水平状態に安定的に保持することができる。そして、カーソルを動かしたいときには、その水平状態から動かしたい方向にマウス装置を傾けるだけで、その方向にカーソルを動かすことができる。また、カーソルの移動を停止したい場合には、環状突起部全体が載置面上に当接するまでマウス装置を戻すことにより、マウス装置を水平状態に保った状態で安定的に保持することができる。
【発明の効果】
【００１６】
本発明のマウス装置によれば、小リング及び大リングに回転体を摺動回転するように設けた簡単な構造で、装置筐体を所望する方向に傾けたとき、その傾けた方向を確実に検知してマウス信号を生成することができる。すなわち、マウス装置自体を所望する方向に傾けるだけでマウス信号を生成できるので、マウス装置自体を移動させるスペースが不要となり、また、マウスパッド等も不要となるため、使い勝手も向上するものである。また、小リング、大リング、回転体といった極めて簡単かつ少ない部材でマウス装置を実現できるので、製造コストの上昇も必要最小限に抑えることができる。
【発明を実施するための最良の形態】
【００１７】
以下、本発明の実施の形態について、図面を参照して説明する。
【００１８】
＜実施形態１＞
図１は、本実施形態１のマウス装置の外観図であり、（ａ）は側面より見た概略断面図、（ｂ）は底面図である。また、図２は、本発明の特徴である小リングと大リングの平面図、図３は、回転体の係合構造を示す説明図である。
【００１９】
本実施形態１のマウス装置１の外観は、従来のマウス装置の外観と同じであり、図示は省略しているが、左ボタン、右ボタン、スクロールボタン等、従来のマウス装置と同様の機能を備えている。
【００２０】
このマウス装置１は、図１に示すように、装置筐体１１の底面１２中央部に、湾曲面形状（ドーム形状）の突状部１３が形成され、この突状部１３の中心部に開口部１３１が形成されている。そして、この開口部１３１から、後述するスイッチ端子３１１を若干突出させた状態でスイッチ部３１が設けられている。
【００２１】
一方、装置筐体１１内には、図１ないし図３に示すように、導電性部材からなる小リング２１と大リング２２とが、前記開口部１３１を中心として同心円状に、かつ、底面１２と平行に配置されている。小リング２１は、装置筐体１１の底面１２に立設された環状脚部２１１によって支持されており、大リング２２は、装置筐体１１の底面１２に立設された環状脚部２２１によって支持されている。ただし、これら脚部２１１，２２１については、必ずしも環状に形成する必要はなく、例えば小リング２１及び大リング２２の複数個所を支持するように立設された脚柱形状であってもよい。また、小リング２１及び大リング２２は、その断面形状が円形状（図３参照）となるように形成されている。
【００２２】
また、大リング２２には、周方向に一定の間隔を存して複数の絶縁リング部２２１が設けられており、大リング部２２はこの絶縁リング部２２１によって複数の導体リング部２２２に分割されている。この例では、８つの絶縁リング部２２２によって８つの導体リング部２２２に分割されている。ただし、この分割数については８つに限定されるものではなく、マウス装置の操作性等を考慮して、その分割数を適宜増減すればよい。
【００２３】
このように形成された小リング２１及び大リング２２には、導電性部材からなる棒状の回転体２３が、これら小リング２１及び大リング２２に沿って摺動回転可能に係合されている。すなわち、回転体２３の一端部には、小リング２１を上方から係合保持するための下向きＣ字状の係合部２４が形成されており、回転体２３の他端部には、大リング２２を上方から係合保持するための下向きＣ字状の係合部２５が形成されている。これら係合部２４，２５の内周面の形状は、小リング２１及び大リング２２と同様、円弧形状となっており、小リング２１及び大リング２２との間で極力摩擦が発生しないように、すなわち摺動回転時に回転体２３がスムーズにこれらリング２１，２２上を回転できるような構造となっている。
【００２４】
また、大リング２２側の係合部２５は、図２に示すように、若干両側に突出した形状となっており、小リング２１側の係合部２４に比べて大リング２２側の係合部２５の方が重くなるように形成されている。つまり、回転体２３の摺動回転時には、大リング２２側の係合部２５が重り部材となって、回転がスムーズに行われるようになっている。すなわち、装置筐体１１が水平状態から任意の方向に傾けられることにより、重り部材の作用によって回転体２３がその傾けられた方向に各リング２１，２２上を摺動回転するように構成されている。
【００２５】
また、図４（ｂ）に示すように、装置筐体１１を卓上等の載置面６１に載置した状態で、突状部１３と装置筐体１１の底面周端部１２１とが載置面６１に接触したときの、装置筐体１１の傾斜角度θ１は、回転体２３が重り部材の作用によって各リング２１，２２上をスムーズに摺動回転するような角度となるように、突状部１３の外形状や突出高さ等が予め設定されている。これにより、ユーザは、例えばパソコン等の画面上のカーソルを動かしたいとき、マウス装置１をどの程度まで傾ければよいかを考える必要がなく、装置筐体１１を卓上等の載置面６１に載置した状態で、装置筐体１１の底面周端部１２１が載置面６１に当接するまで所望する任意の方向に傾ければよい。
【００２６】
一方、スイッチ端子３１１が開口部１３１から若干突出するように設けられたスイッチ部３１は、装置筐体１１が傾けられた状態であるのか、水平状態であるのかを検知するスイッチである。すなわち、装置筐体１１（すなわち、マウス装置１）が卓上等の載置面６１に水平状態で載置されている状態では、図４（ａ）に示すように、スイッチ部３１は、スイッチ端子３１１が筐体底面１２の突状部１３内に押し込まれたオン状態となり、装置筐体１１が卓上等の載置面６１上で任意の方向に傾けられた状態では、図４（ｂ）に示すように、スイッチ部３１は、スイッチ端子３１１が筐体底面１２の突状部１３から若干突出したオフ状態となる。このスイッチ部３１のオン／オフ状態によって、装置筐体１１（すなわち、マウス装置１）が、卓上等の載置面６１上で傾けられた状態にあるのか、水平状態にあるのかを検知することができる。
【００２７】
図５は、上記構成の小リング２１、大リング２２、回転体２３、及びスイッチ部３１を利用してマウス信号を生成するマウス信号生成手段の電気的構成を示す機能ブロック図である。
【００２８】
小リング２１はアース電位（ＧＮＤ）に接続されており、大リング２２の各導体リング部２２２、及びスイッチ部３１は、電源（Ｖｃｃ）によりプルアップ抵抗Ｒを介してプルアップされた状態でマウス装置1のマイコン４１に接続されている。マイコン４１は、これら導体リング部２２２及びスイッチ部３１からの信号に基づいてマウス信号を生成し、ＵＳＢなどの現在一般化している信号に変換して、図示しないパソコン等へ出力する。
【００２９】
ここで、マイコン４１による処理動作について説明する。
【００３０】
回転体２３が接触している大リング２２の導体リング部２２２は、上記回路構成では「Ｌ」レベルとなり、接触していない他の導体リング部２２２は「Ｈ」レベルとなる。
【００３１】
一方、マウス装置１が水平状態にあるとき（図４（ａ）に示す状態）のとき、スイッチ部３１はオン状態であり、マイコン４１には「Ｌ」レベルの信号が入力される。一方、マウス装置１が任意の方向に傾けられた状態（図４（ｂ）に示す状態）では、スイッチ部３１はオフ状態であり、マイコン４１には電源Ｖｃｃからの「Ｈ」レベルの信号が入力される。
【００３２】
従って、マイコン４１は、まずこのスイッチ部３１のオン、オフ状態（「Ｌ」または「Ｈ」）を認識し、スイッチ部３１からの信号が、マウス装置１が水平状態であることを示すオン信号（「Ｌ」レベルの信号）である場合には、マウス装置１が操作されていないと判断し、この場合には、任意の導体リング部２２２から入力されている「Ｌ」レベルの信号を無視する。すなわち、この信号に基づいたマウス信号の生成は行わない。つまり、画面上に表示されているカーソルの移動は行わない。
【００３３】
一方、スイッチ部３１からの信号が、マウス装置１が傾いていることを示すオフ信号（「Ｈ」レベルの信号）である場合には、マウス装置１が操作されていると判断し、この場合には、「Ｈ」レベルの信号が入力されている導体リング部２２２の位置（すなわち、この導体リング部２２２に接触している回転体２３の回転位置）を認識し、リング中心部から当該導体リング部２２２に向かう方向（具体的には、スイッチ部３１のスイッチ端子３１１が配置されている位置から当該導体リング部２２２の水平方向の中心位置に向かう方向）にカーソルを移動させるようなマウス信号を生成し、パソコン等に送信する。これにより、画面上に表示されているカーソルが、その指示された方向に移動する。
【００３４】
なお、カーソルの移動を停止したい場合には、マウス装置１を再び水平状態に戻せばよい。これにより、スイッチ部３１が再びオン状態となり、マイコン４１は、マウス信号の生成を中止する。
【００３５】
＜実施形態２＞
図６（ａ）は、本実施形態２のマウス装置を側面より見た概略断面図、（ｂ）は底面図である。
【００３６】
本実施形態２のマウス装置１と上記実施形態１のマウス装置１との違いは、本実施形態２のマウス装置１では、装置筐体１１の底面１２であって、底面周端部１２１から所定の距離を保って内側に、突状部１３全体を囲むようにして環状突起部１４が形成されている点であり、その他の構成は上記実施形態１と同様であるので、ここでは説明を省略する。
【００３７】
この場合、環状突起部１４の高さと突状部１３の高さとは、ほぼ同じ高さとする。より具体的には、環状突起部１４の高さが突状部１３の高さと同じかそれよりも若干高くなるように形成する。そして、図７に示すように、装置筐体１１を卓上等の載置面６１に載置した状態で、環状突起部１４と装置筐体１１の底面周端部１２１とが載置面６１に接触したときの、装置筐体１１の傾斜角度θ２を、回転体２３が重り部材の作用によって各リング２１，２２上をスムーズに摺動回転するような角度となるように、予め設定しておく。これにより、ユーザは、例えばパソコン等の画面上のカーソルを動かしたいとき、マウス装置１をどの程度まで傾ければよいかを考える必要がなく、装置筐体１１を卓上等の載置面６１に載置した状態で、装置筐体１１の底面周端部１２１が載置面６１に当接するまで所望する任意の方向に傾ければよい。また、マウス装置１を使用せず、載置面６１上に水平状態で載置しておきたい場合でも、環状突起部１４が載置面６１上に当接することで、マウス装置１を水平状態に安定して載置することができる。
【００３８】
なお、本実施形態２の構造によれば、突状部１３は必ずしも必要ではない。つまり、スイッチ部３１のスイッチ端子３１１の先端が、環状突起部１４より若干下方に突出するように設けておけばよい。
【００３９】
また、本実施形態２の構造とした場合には、装置筐体１１の形状を、平面視円形状とし、環状突起部１４も平面視円形状とするのが好ましい。この方が、底面周端部１２１から環状突起部１４までの距離を全周に渡って一定距離に保つことができるため、マウス装置１を傾けたときの傾斜角度θ２も、全ての傾斜方向において同一角度に設定することができる。これにより、ユーザの操作性を向上することができる。
【００４０】
＜実施形態３＞
図８は、本実施形態３のマウス装置を側面より見た概略断面図である。
【００４１】
本実施形態３のマウス装置１と上記実施形態２のマウス装置１との違いは、本実施形態３のマウス装置１では、底面周端部１２１から環状突起部１４までの間を湾曲面１５または直線的な傾斜面（図示省略）に形成されている点であり、その他の構成は上記実施形態２と同様であるので、ここでは説明を省略する。このように湾曲面１５または傾斜面を形成することで、この湾曲面１５または傾斜面に沿ってマウス装置１をスムーズに傾けることができるため、ユーザの操作性をさらに向上することができる。
【図面の簡単な説明】
【００４２】
【図１】本発明の実施形態１に係るマウス装置の外観図であり、（ａ）は側面より見た概略断面図、（ｂ）は底面図である。
【図２】本発明の特徴である小リングと大リングの平面図である。
【図３】回転体の係合構造を示す図２のＡ−Ａ線断面図である。
【図４】本発明の実施形態１に係るマウス装置の側面図であり、（ａ）は水平状態、（ｂ）は傾けた状態を示している。
【図５】本発明に係わるマウス装置のマウス信号生成手段の電気的構成を示す機能ブロック図である。
【図６】（ａ）は実施形態２に係るマウス装置を側面より見た概略断面図、（ｂ）は底面図である。
【図７】本発明の実施形態２に係るマウス装置を傾けた状態の側面より見た概略断面図である。
【図８】本発明の実施形態３に係るマウス装置を側面より見た概略断面図である。
【図９】従来のマウス装置の一構成例を示す概略断面図である。
【図１０】従来のマウス装置の他の構成例を示す外観斜視図及び断面図である。
【符号の説明】
【００４３】
１  マウス装置
１１  装置筐体
１２  底面
１２１  底面周端部
１３  突状部
１３１  開口部１３１
１４  環状突起部
１５  湾曲面
２１  小リング
２２  大リング
２２１  絶縁リング部
２２２  導体リング部
２３  回転体
２４，２５  係合部
３１  スイッチ部
３１１  スイッチ端子
４１  マイコン
６１  載置面
【図１】
2006268615.tif 000003
【図２】
2006268615.tif 000004
【図３】
2006268615.tif 000005
【図４】
2006268615.tif 000006
【図５】
2006268615.tif 000007
【図６】
2006268615.tif 000008
【図７】
2006268615.tif 000009
【図８】
2006268615.tif 000010
【図９】
2006268615.tif 000011
【図１０】
2006268615.tif 000012